(57)【要約】      （修正有）【課題】デジタルビデオカメラホルダーを人体・自転車及びバイクにベルクロテープで貼り付け固定する事でハンズフリーで記録・録画できる事を可能にする。【解決手段】ビデオは記録・録画したい対象があってかつ撮影者が撮影の意図を持ってカメラを操作することで記録・録画するものであったが本ホルダーを使用し人体・自転車及びバイクに固定しハンズフリーで記録・録画することで不特定の対象物を記録・録画出来る。【選択図】図１
0003132701.tif 000002
【実用新案登録請求の範囲】
【請求項１】
デジタルビデオカメラのホルダーを体に固定しハンズフリーで録画出来るホルダー。
【考案の詳細な説明】
【技術分野】
【０００１】
本考案は、デジタルビデオカメラを体に固定出来るホルダーに関するものである。
【背景技術】
【０００２】
一般的に、デジタルカメラを収納するケースは存在する物の、カメラをハンズフリーで利用出来るケースは存在しなかった。
手に持って録画するか三脚の様な物に固定して使用するしかなかった。ドライブレコーダーなる物が存在する物の、これは車載専用で衝撃の前後十数秒しか記録・録画出来ないし、新たに設備投資する必要があるばかりか、人・自転車・バイクには適さない。
また、私はよく多摩川を犬を連れて散歩するが、サイクリングロードの自転車・歩行者・ランナーのマナーが悪く接触事故を多く経験している。こんな時、事故の証拠となるビデオがあったらいいなと思う。
【０００３】
しかし、この改善策としてデジタルビデオカメラホルダーを体にマジックテープ（登録商標：以下同じ）で貼り付け固定する事でハンズフリーで記録・録画できる事を可能にしました。
【考案の開示】
【考案が解決しようとする課題】
【０００４】
解決しようとする問題点は、ビデオは記録・録画したい対象があってかつ撮影者が撮影の意図を持ってカメラを操作することで記録・録画するものであったが本ホルダーを使用し人体に固定しハンズフリーで記録・録画することで不特定の対象物を記録・録画出来ることにある。
【課題を解決するための手段】
【０００５】
本考案は、カメラホルダーを人体にマジックテープで貼り付ける事により、取り付け・取り外しを自由に何度でも繰り返し行う事が出来る事を特徴とする。
【考案の効果】
【０００６】
本考案のデジタルビデオカメラホルダーは、ビデオを人体に貼り付けハンズフリーで記録・録画でき取り付け・取り外しも自由に出来るという利点がある。
【考案を実施するための最良の形態】
【０００７】
ホルダーはエアパッキンの様な対衝撃性を持たせ、マジックテープで人体に固定する事でハンズフリーで記録・録画出来る事を可能にした。構成部品数を最小限にし性能を損なわずに実現した。
【実施例１】
【０００８】
図１は、本考案装置のUSBカメラの１実施例の構造図であって、１〜４は、図２と同様である。
【実施例２】
【０００９】
図２は、本考案装置のビデオカメラの１実施例の構造図であって、１〜４は、図１と同様である。
【産業上の利用可能性】
【００１０】
前にも述べた通りドライブレコーダーでは衝撃を感知しその前後数十秒だけを記録・録画していたが、人・自転車・バイク等には不向きである。
しかし市販のビデオカメラを本ホルダーにて人体に固定すれば、ハンズフリーで不特定の対象物を記録・録画出来る。録画性能はビデオカメラの
性能に依存するものの、不要な画像は後で消去し必要な画像のみを保存する事が可能となる。
【図面の簡単な説明】
【００１１】
【図１】USBカメラの実施方法を示した説明図である。（実施例１）
【図２】ビデオカメラの実施方法を示した説明図である。（実施例２）
【符号の説明】
【００１２】
１    カメラ本体
２    エアパッキン
３    マジックテープ
４    角度調整冶具
５    整形ワイヤー
【図１】
0003132701.tif 000003
【図２】
0003132701.tif 000004
【手続補正書】
【提出日】平成19年3月26日(2007.3.26)
【手続補正１】
【補正対象書類名】実用新案登録請求の範囲
【補正対象項目名】全文
【補正方法】変更
【補正の内容】
【実用新案登録請求の範囲】
【請求項１】
デジタルビデオカメラの形状に合わせた、衝撃吸収材を使用し四角柱の袋状ホルダーで下部・上部・及び左右側に角度調整治具を有し、また上部に整形ワイヤーを有する他・振れ止めバンドにより人体に取り付けた場合の画面の手振れを押さえると共に、ベルクロテープにより人体・自転車・バイクに簡単に取り付け・取り外しが出来、人体・自転車・バイクに固定しハンズフリーで録画出来るホルダー。
【手続補正２】
【補正対象書類名】明細書
【補正対象項目名】０００１
【補正方法】変更
【補正の内容】
【０００１】
本考案はデジタルビデオカメラを人体・自転車及びバイクに固定出来るホルダーに関する物である
【手続補正３】
【補正対象書類名】明細書
【補正対象項目名】０００３
【補正方法】変更
【補正の内容】
【０００３】
しかし、この改善策としてデジタルビデオカメラホルダーを人体・自転車及びバイクににベルクロテープで貼り付け固定する事でハンズフリーで記録・録画できる事を可能にしました。
【手続補正４】
【補正対象書類名】明細書
【補正対象項目名】０００４
【補正方法】変更
【補正の内容】
【０００４】
解決しようとする問題点は、ビデオは記録・録画したい対象があってかつ撮影者が撮影の意図を持ってカメラを操作することで記録・録画するものであったが本ホルダーを使用し人体・自転車及びバイクに固定しハンズフリーで記録・録画することで不特定の対象物を記録・録画出来ることにある。  
【手続補正５】
【補正対象書類名】明細書
【補正対象項目名】０００５
【補正方法】変更
【補正の内容】
【０００５】
本考案は、カメラホルダーを人体・自転車及びバイクにベルクロテープで貼り付ける事により、取り付け・取り外しを自由に何度でも繰り返し行う事が出来る事を特徴とする。
【手続補正６】
【補正対象書類名】明細書
【補正対象項目名】０００６
【補正方法】変更
【補正の内容】
【０００６】
本考案のデジタルビデオカメラホルダーは、ビデオを人体・自転車及びバイクに貼り付けハンズフリーで記録・録画でき取り付け・取り外しも自由に出来るという利点がある。
【手続補正７】
【補正対象書類名】明細書
【補正対象項目名】０００７
【補正方法】変更
【補正の内容】
【０００７】
ホルダーは衝撃吸収材等対衝撃性を持たせ、ベルクロテープで人体・自転車及びバイクに固定する事でハンズフリーで記録・録画出来る事を可能にした。構成部品数を最小限にし性能を損なわずに実現した。
【手続補正８】
【補正対象書類名】明細書
【補正対象項目名】０００９
【補正方法】変更
【補正の内容】
【０００９】
図２は、本考案装置のビデオカメラの１実施例の構造図であっる。
【手続補正９】
【補正対象書類名】明細書
【補正対象項目名】００１０
【補正方法】変更
【補正の内容】
【００１０】
前にも述べた通りドライブレコーダーでは衝撃を感知しその前後数十秒だけを記録・録画していたが、人・自転車・バイク等には不向きである。
しかし市販のビデオカメラを本ホルダーにて人体・自転車及びバイクに固定すれば、ハンズフリーで不特定の対象物を記録・録画出来る。
録画性能はビデオカメラの性能に依存するものの、不要な画像は後で消去し必要な画像のみを保存する事が可能となる。
【手続補正１０】
【補正対象書類名】明細書
【補正対象項目名】００１１
【補正方法】変更
【補正の内容】
【００１１】
【図２】薄型ビデオカメラの実施方法を示した説明図である。（実施例２）
【手続補正１１】
【補正対象書類名】明細書
【補正対象項目名】００１２
【補正方法】変更
【補正の内容】
【００１２】
１    カメラ本体
２    衝撃吸収材
３    ベルクロテープ
４    角度調整治具
５    整形ワイヤー
６    振れ止めバンド
【手続補正１２】
【補正対象書類名】図面
【補正対象項目名】図１
【補正方法】変更
【補正の内容】
【図１】
0003132701.tif 000005
【手続補正１３】
【補正対象書類名】図面
【補正対象項目名】図２
【補正方法】変更
【補正の内容】
【図２】
0003132701.tif 000006